(57)【要約】【課題】開閉ユニットを閉じる際の操作負荷を軽減可能な開閉装置を提供する。【解決手段】トナーボトルカバー２００は、内カバー３００に対して開閉自在である。軸部左２０１及びスナップフィット３０１は、トナーボトルカバー２００を閉じる際に、所定の反力を伴って係合する。軸部右２０２及びスナップフィット３０２は、トナーボトルカバー２００を閉じる際に、軸部左２０１及びスナップフィット３０１とは異なるタイミングで、所定の反力を伴って係合する。【選択図】図４
2018077292.tif 000002
【特許請求の範囲】
【請求項１】
本体ユニットに対して開閉自在な開閉ユニットと、
前記開閉ユニットを閉じる際に、所定の反力を伴って係合する第１係合部と、
前記開閉ユニットを閉じる際に、前記第１係合部とは異なるタイミングで、所定の反力を伴って係合する第２係合部と、を有する、
ことを特徴とする開閉装置。
【請求項２】
前記第１係合部が係合する際の前記開閉ユニットの閉鎖角度と前記第２係合部が係合する際の前記開閉ユニットの閉鎖角度とは異なる、
ことを特徴とする請求項１に記載の開閉装置。
【請求項３】
前記第１係合部と前記第２係合部とのうちで係合タイミングが早い一方の係合部の係合位置における反力が、他方の係合部が前記開閉ユニットの閉じ位置へ向かう引込力となる、
ことを特徴とする請求項１又は２に記載の開閉装置。
【請求項４】
前記開閉ユニットの閉じ位置では、前記第１係合部と前記第２係合部との少なくとも一方の反力が前記閉じ位置へ向かう引込力となる、
ことを特徴とする請求項１乃至３のいずれか１項に記載の開閉装置。
【請求項５】
前記開閉ユニットは、前記本体ユニットに対して回動可能であって、
前記開閉ユニットの閉じ位置では、前記第１係合部と前記第２係合部との少なくとも一方の反力が前記開閉ユニットに対して前記開閉ユニットの回動軸線に沿った一方向の力を作用している、
ことを特徴とする請求項１乃至４のいずれか１項に記載の開閉装置。
【請求項６】
前記開閉ユニットは、前記本体ユニットに対して回動可能であって、
前記開閉ユニットの回動軸線から前記第１係合部の係合位置までの距離と、前記開閉ユニットの回動軸線から前記第２係合部の係合位置までの距離とは異なる、
ことを特徴とする請求項１乃至５のいずれか１項に記載の開閉装置。
【請求項７】
前記第１係合部は、前記開閉ユニットに設けられた第１係合手段と前記本体ユニットに設けられた第１被係合手段とが少なくとも一方の弾性変形を伴って係合可能であって、
前記第２係合部は、前記開閉ユニットに設けられた第２係合手段と前記本体ユニットに設けられた第２被係合手段とが少なくとも一方の弾性変形を伴って係合可能である、
ことを特徴とする請求項１乃至６のいずれか１項に記載の開閉装置。
【請求項８】
請求項１乃至７のいずれか１項に記載の開閉装置と、
前記開閉装置を設けた装置本体に収容される画像形成手段と、を備える、
ことを特徴とする画像形成装置。
【発明の詳細な説明】
【技術分野】
【０００１】
本発明は、本体ユニットに対して開閉ユニットを開閉可能な開閉装置に関する。
【背景技術】
【０００２】
消耗品の補給や部品交換等を目的として、本体ユニットに対してカバーや扉等の開閉ユニットを開閉可能な開閉装置を装備した画像形成装置が広く用いられている。開閉装置は、本体ユニットに対する閉じ位置へ移動させる際に、閉じ位置と反対方向の反力を発生して閉じ位置での固定に伴う適正なクリック感を持たせていることが望ましい。
【０００３】
特許文献１には、ノートパソコンの装置本体に対して開閉可能なディスプレイ部を、画面を挟んで左右の両端に設けた左右一対のフック部材により、装置本体に対する閉じ位置に位置決めてロックしている。ここでは、左右一対のフック部材の形状を異ならせることにより、ディスプレイ部の開閉の操作感を改善している。
【先行技術文献】
【特許文献】
【０００４】
【特許文献１】特開２００３−１４０７７４号公報
【発明の概要】
【発明が解決しようとする課題】
【０００５】
特許文献１に示される左右一対のフック部材は、開閉ユニットとしてのディスプレイ部を閉じ位置へ回動させる過程で、同じタイミングでそれぞれが装置本体側の被係合部に対する係合を開始した後に、それぞれが被係合部に対する係合を完了させている。ここで、衝撃等により被係合部からフック部材の係合が外れることを防ぐため、それぞれのフック部材の被係合部に対する係合力は大きく設定されている。このため、ディスプレイ部を閉鎖する際に係合する瞬間は、左右一対のフック部材により閉じ位置と反対方向の反力が重畳的に作用して、ディスプレイ部を閉じる際の負荷が大きくなり、ユーザにとって操作感が良好では無い。
【０００６】
本発明は、開閉ユニットを閉じる際の操作負荷を軽減可能な開閉装置を提供することを目的としている。
【課題を解決するための手段】
【０００７】
本発明の開閉装置は、本体ユニットに対して開閉自在な開閉ユニットと、前記開閉ユニットを閉じる際に、所定の反力を伴って係合する第１係合部と、前記開閉ユニットを閉じる際に、前記第１係合部とは異なるタイミングで、所定の反力を伴って係合する第２係合部と、を有するものである。
【発明の効果】
【０００８】
本発明によれば、開閉ユニットを閉じる際の操作負荷を軽減可能な開閉装置を提供することができる。
【図面の簡単な説明】
【０００９】
【図１】画像形成装置の斜視図である。
【図２】画像形成装置の構成の説明図である。
【図３】トナーボトルカバーユニット周辺の拡大図である。
【図４】トナーボトルカバーユニットの斜視図である。
【図５】トナーボトルカバーの斜視図である。
【図６】装置本体側の内カバーの斜視図である。
【図７】スナップフィットの係合過程の説明図である。図７中、（ａ）〜（ｅ）は、トナーボトルカバーの閉じ過程におけるそれぞれの段階である。
【図８】トナーボトルカバーを閉じ位置に移動させた状態の正面図である。
【図９】トナーボトルカバーの回転軸線方向のがたつきの説明図である。
【発明を実施するための形態】
【００１０】
以下、添付した図面を参照して本発明の実施の形態を詳細に説明する。
【００１１】
＜実施の形態１＞
実施の形態１は、画像形成装置の正面に配置され、消耗品のトナーボトルを交換する際にユーザが開閉操作するトナーボトルカバーにおける開閉装置の実施の形態を説明する。
【００１２】
（画像形成装置の外観）
図１は画像形成装置の斜視図である。図１に示すように、画像形成装置の一例である複写機１は、装置本体２の上部に画像読取装置３を配置した電子写真方式のモノクロ複写機である。画像読取装置３は、自動原稿搬送装置４を装備したいわゆるフラットベッドスキャナであって、複写する原稿の画像を読み取って画像データを生成する。ユーザは、複写機１の手前側に配置される操作パネル５を操作して、複写機１に対して各種入力／設定を行う。画像形成装置１における操作パネル５に臨む手前側を複写機１の「正面側」といい、奥側を「背面側」という。
【００１３】
（画像形成装置の動作）
図２は画像形成装置の構成の説明図である。図２は、図１の複写機１を正面側から見たときの内部構成を示している。図２に示すように、画像形成部２０は、感光ドラム２１の周りに、帯電ローラ２２、露光装置２３、現像装置２４、転写ローラ２５、及びドラムクリーニング装置２６を配置している。
【００１４】
感光ドラム２１は、金属円筒の周面に感光層を形成され、回転する。帯電ローラ２２は、帯電電圧を印加されて感光ドラム２１を一様な電位に帯電させる。露光装置２３は、一様な電位に帯電した感光ドラム２１の表面にレーザビームを走査して、感光ドラム２１の表面に画像の静電潜像を形成する。現像装置２４は、現像ローラ２４ａに現像剤（トナー）を担持して感光ドラム２１の静電潜像をトナー像に現像する。転写ローラ２５は、転写電圧を印加されて、転写部Ｎ１を通過するシートＰへ感光ドラム２１のトナー像を転写する。
【００１５】
画像形成部２０の下方に給紙部１０が配置される。給紙部１０は、カセット１１上にシートＰを積載して収容する。ピックアップローラ１２は、カセット１１からシートＰを繰り出して分離部１３へ給送する。分離部１３は、重送シートを分離して最上位のシートＰを搬送ローラ１４へ送り出し、レジストローラ１５へ給送する。レジストローラ１５は、シートＰの斜行を矯正し、感光ドラム２１に形成されるトナー像にタイミングを合わせて転写部Ｎ１へシートＰを給送する。
【００１６】
転写部Ｎ１でトナー像を転写されたシートＰは、定着装置３０へ搬送され、ニップＮ２により搬送される過程で加熱及び加圧を受けて表面に画像を定着される。定着装置３０において画像を定着されたシートＰは、排出部４０へ搬送され、排出ローラ４１で挟持して排出トレイ４２へ排出し、積載される。
【００１７】
手差し給送部１６は、装置本体２の側面へ収容可能であって、手差しトレイ１７に任意のサイズのシートを積載して、画像形成部２０へ給送可能である。給送ローラ１８は、手差しトレイ１７に積載されたシートＰを分離部１９へ給送する。分離部１９は、重送シートを手差しトレイ１７側へ押し戻して、最上位のシートを搬送ローラ１４へ送り出し、レジストローラ１５へ給送する。
【００１８】
（両面印刷）
両面印刷では、定着装置３０により第１面の画像を定着されたシートは、排出部４０でスイッチバック搬送されて先端と後端とを入れ替えた状態で両面搬送路４５へ送り込まれる。両面搬送路４５のシートは、搬送ローラ４６、４７、４８により搬送されて、第２面を感光ドラム２１側に位置させてレジストローラ１５に突き当たって待機する。レジストローラ１５は、感光ドラム２１に形成されるトナー像にタイミングを合わせて転写部Ｎ１へシートＰを給送する。転写部Ｎ１で第２面にもトナー像を転写されたシートＰは、定着装置３０で加熱及び加圧を受けて第２面の画像を定着された後に排出ローラ４１で挟持して排出トレイ４２へ排出される。
【００１９】
（現像剤補給部）
図２に示すように、画像形成手段の一例である画像形成部２０及び定着装置３０は、開閉装置の一例であるトナーボトルカバーユニット１００を設けた装置本体２に収容されている。トナーボトル収容ユニット２８は、トナーボトル４００を正面側から挿抜して着脱自在に保持する。トナーボトル収容ユニット２８は、トナーボトル４００を回転させることにより、トナーボトル４００から現像装置２４へ現像剤を補給する。現像装置２４へ現像剤を補給してトナーボトル４００内のトナーが無くなると、ユーザは、トナーボトルカバー２００を開いてトナーボトル４００を新品に交換する。
【００２０】
（トナーボトルカバーユニット）
図３はトナーボトルカバーユニット周辺の拡大図である。図４はトナーボトルカバーユニットの斜視図である。図５はトナーボトルカバーの斜視図である。図６は装置本体側の内カバーの斜視図である。
【００２１】
図３に示すように、開閉ユニットの一例であるトナーボトルカバー２００は、本体ユニットの一例である内カバー３００に対して回動して正面側へ開閉自在である。トナーボトルカバー２００は、トナーボトルカバー２００に設けられた回動アーム２２０、２３０の先端部を回動自在に支持されて、装置本体２に対して正面側へ開閉可能である。
【００２２】
ユーザは、トナーボトルカバー２００の左端の把手部２０４を掴んでトナーボトルカバー２００を正面側へ回動させることにより、トナーボトルカバー２００を開放する。ユーザは、装置本体２の凹所３２０から把手部２０４に手指を掛けて、トナーボトルカバー２００を開くことが可能である。
【００２３】
トナーボトルカバー２００は、回動アーム２２０、２３０により装置本体２から離れた位置で、水平方向に対して−１５度、すなわち水平よりも１５度下方まで回転した状態で回動を限界付けられている。−１５度の角度は、トナーボトル４００を挿抜する際の操作性をトナーボトルカバー２００が阻害しない角度である。
【００２４】
図４に示すように、トナーボトルカバーユニット１００は、内カバー３００にトナーボトルカバー２００を回動可能に組立てている。把手部２０４は、トナーボトルカバー２００と一体に樹脂成型され、内側に複数のリブ２１４が成型されている。トナーボトルカバー２００の閉じ位置では、内カバー３００のスナップフィット３０１にトナーボトルカバー２００の軸部左２０１が係合し、スナップフィット３０２に軸部右２０２が係合することになる。
【００２５】
第１係合部の一例である軸部左２０１及びスナップフィット３０１は、トナーボトルカバー２００を閉じる際に、所定の反力を伴って係合する。軸部左２０１及びスナップフィット３０１は、トナーボトルカバー２００を閉じ位置へ移動する過程で内カバー３００とトナーボトルカバー２００とが弾性的な反力のピークを乗り越えるように係合する。
【００２６】
トナーボトルカバー２００に設けられる第１係合手段の一例である軸部左２０１と、内カバー３００に設けられる第１被係合手段の一例であるスナップフィット３０１とは少なくとも一方の弾性変形を伴って係合可能である。軸部左２０１とスナップフィット３０１とのうちの少なくとも一方の弾性変形に伴って、トナーボトルカバー２００を閉じ位置から遠ざける方向（開く方向）の反力が発生する。
【００２７】
第２係合部の一例である軸部右２０２及びスナップフィット３０２は、トナーボトルカバー２００を閉じる際に、軸部左２０１及びスナップフィット３０１とは異なるタイミングで、所定の反力を伴って係合する。軸部右２０２及びスナップフィット３０２は、閉じ位置へ移動する過程で、軸部左２０１とは異なるタイミングで、内カバー３００とトナーボトルカバー２００とが弾性的な反力のピークを乗り越えるように係合する。
【００２８】
トナーボトルカバー２００に設けられる第２係合手段の一例である軸部右２０２と、内カバー３００に設けられる第２被係合手段の一例であるスナップフィット３０２とは少なくとも一方の弾性変形を伴って係合可能である。軸部右２０２とスナップフィット３０２とのうちの少なくとも一方の弾性変形に伴ってトナーボトルカバー２００を閉じ位置から遠ざける方向（開く方向）の反力が発生する。
【００２９】
（回動構造）
図４に示すように、開閉ユニットの一例であるトナーボトルカバー２００は、本体ユニットの一例である内カバー３００に対して開閉自在である。
【００３０】
図４を参照して図５に示すように、トナーボトルカバー２００は、回動軸線の一例である回転中心軸Ａの周りで内カバー３００に対して回動可能である。回転中心軸Ａから軸部左２０１及びスナップフィット３０１の係合位置までの距離と、回転中心軸Ａから軸部右２０２及びスナップフィット３０２の係合位置までの距離と、は異なる。このため、軸部左２０１及びスナップフィット３０１が係合する際のトナーボトルカバー２００の閉鎖角度と、軸部右２０２及びスナップフィット３０２が係合する際のトナーボトルカバー２００の閉鎖角度と、は異なる。閉鎖角度とは、回転中心軸Ａを中心にして内カバー３００とトナーボトルカバー２００との間に形成される内側の角度である。
【００３１】
具体的には、回転中心軸Ａから軸部右２０２及びスナップフィット３０２の係合位置までの距離は、回転中心軸Ａから軸部左２０１及びスナップフィット３０１の係合位置までの距離よりも短い。このため、トナーボトルカバー２００の閉じ過程では、軸部左２０１及びスナップフィット３０１の係合に先行して軸部右２０２及びスナップフィット３０２の係合が開始される。
【００３２】
トナーボトルカバー２００は、内カバー３００に対してトナーボトルカバー２００を回動させる際の回転中心軸Ａを有する。トナーボトルカバー２００は、軸部左２０１と軸部右２０２とを有する。軸部左２０１と軸部右２０２とは、回転中心軸Ａに沿った向きを反転させて、同一形状同一寸法を持たせて成型されている。軸部左２０１は、リブ２１１により回転中心軸Ａに沿った方向に補強され、軸部右２０２はリブ２１２により回転中心軸Ａに沿った反対方向に補強されている。このため、軸部左２０１及び軸部右２０２がスナップフィット３０１、３０２に係合する過程で、スナップフィット３０１、３０２が軸部左２０１及び軸部右２０２に押圧されて撓むほど、軸部左２０１及び軸部右２０２は撓まない。回転中心軸Ａから軸部左２０１までの距離をｄ１とし、回転中心軸Ａから軸部右２０２までの距離をｄ２とすると、以下の関係が成立している。
【００３３】
ｄ１＞ｄ２    ・・・（式１）
【００３４】
図６に示すように、内カバー３００は、トナーボトルカバー２００を回転自在に保持する回転中心軸Ｂを有する。内カバー３００は、スナップフィット３０１とスナップフィット３０２とを有する。スナップフィット３０１とスナップフィット３０２とは回転中心軸Ｂに沿った向きを反転させて同一形状同一寸法に成型されている。スナップフィット３０１、３０２は、軸部左２０１及び軸部右２０２に対する係合過程で、回転中心軸Ｂに沿った対向方向に撓んで、軸部左２０１及び軸部右２０２を外側へ押圧するように形成されている。回転中心軸Ｂからスナップフィット３０１までの距離をｄ３とし、回転中心軸Ｂからスナップフィット３０２までの距離をｄ４とすると、以下の関係が成立している。
【００３５】
ｄ３＞ｄ４    ・・・（式２）
ｄ１＝ｄ３    ・・・（式３）
ｄ２＝ｄ４    ・・・（式４）
【００３６】
式３、式４の関係から、図４に示すように、内カバー３００に対してトナーボトルカバー２００が閉じ位置へ回動する過程で、軸部左２０１にスナップフィット３０１が係合し、軸部右２０２にスナップフィット３０２が係合する。
【００３７】
（スナップフィットの係合過程）
図７はスナップフィットの係合過程の説明図である。図７中、（ａ）〜（ｅ）は、トナーボトルカバーの閉じ過程におけるそれぞれの段階である。図４に示すように、閉じ位置へ移動する過程で、軸部左２０１とスナップフィット３０１の係合が開始するトナーボトルカバー２００の位置は、軸部右２０２とスナップフィット３０２の係合が開始する位置よりも閉じ位置に近い。このため、軸部左２０１の係合と軸部右２０２の係合とが同時進行する場合に比較して、閉じ操作に伴って閉じ位置の反対方向へ向かう反力が両者から重畳的に作用しない。
【００３８】
また、閉じ位置へ移動する過程で、軸部左２０１に作用する反力がピークとなるトナーボトルカバー２００の位置は、軸部右２０２に作用する反力がピークとなる位置よりも閉じ位置に近い。このため、軸部左２０１に作用する反力のピークと軸部右２０２に作用する反力のピークとが同時に重畳的に作用しない。
【００３９】
図７の（ａ）〜（ｅ）に示すように、内カバー３００に対する閉じ位置へ移動する過程で、先行して軸部左２０１にスナップフィット３０１が係合し、その後、軸部右２０２にスナップフィット３０２が係合する。上述した式１、式２の関係により、軸部左２０１がスナップフィット３０１に入り込んで係合する前に、軸部右２０２がスナップフィット３０２に入り込んで係合する。
【００４０】
図７の（ｂ）に示すように、軸部右２０２がスナップフィット３０２の斜面を上り始め、スナップフィット３０２を撓ませ始めた時、軸部左２０１は、スナップフィット３０１をまだ撓ませていない。
【００４１】
図７の（ｃ）に示すように、軸部右２０２がスナップフィット３０２の頂上平面部に位置する時、軸部左２０１がスナップフィット３０１の斜面部を上り始め、スナップフィット３０１が撓み始める。軸部右２０２がスナップフィット３０２の斜面部を上り終えた後に軸部左２０１がスナップフィット３０１の斜面部を上り始めるので、トナーボトルカバー２００を閉じ位置へ移動させために必要な力が増加しない。軸部右２０２が先にスナップフィット３０２を撓ませて係合し、続いて、図７の（ｄ）に示すように、軸部左２０１がスナップフィット３０１を撓ませて係合する。
【００４２】
図７の（ｄ）に示すように、トナーボトルカバー２００が閉じ位置へ移動する過程で、軸部左２０１に作用する反力がピークとなるトナーボトルカバー２００の位置では、軸部右２０２に作用する反力が閉じ位置へ向かう引込力Ｕとなっている。軸部右２０２がスナップフィット３０２の斜面部を下り始めると、軸部右２０２に引込力Ｕが作用する。すなわち、軸部左２０１及びスナップフィット３０１と軸部右２０２及びスナップフィット３０２とのうちで係合タイミングが早い一方の係合部の係合位置における反力が、他方の係合部がトナーボトルカバー２００の閉じ位置へ向かう引込力Ｕとなる。引込力Ｕは、トナーボトルカバー２００を閉じ位置へ向かって付勢する。このため、軸部左２０１に作用する反力がピークになる位置を乗り越えるためのトナーボトルカバー２００の閉じ操作に要する力が軽減される。
【００４３】
また、トナーボトルカバー２００に対して閉じ位置へ向かわせる引込力が作用することで、軸部左２０１がスナップフィット３０１を撓ませる力のアシスト力となり、通常より小さな操作力でトナーボトルカバー２００を閉じ位置へ移動可能である。そして、アシスト力によって、トナーボトルカバー２００を閉じた際に軸部右２０２がスナップフィット３０２と係合し、かつ、軸部左２０１がスナップフィット３０１と係合しない、という中途半端な係合状態になり難い。
【００４４】
（閉じ位置のがたつき修正）
図３に示すように、その後、トナーボトルカバー２００の突出部２０５が内カバー３００の突当部３０４へ突当たることでトナーボトルカバー２００の回動が規制され、トナーボトルカバー２００が閉じ位置に位置決められる。このとき、トナーボトルカバー２００の閉じ位置では、軸部左２０１及びスナップフィット３０１と軸部右２０２及びスナップフィット３０２との少なくとも一方の反力がトナーボトルカバー２００の閉じ位置へ向かう引込力となる。内カバー３００にトナーボトルカバー２００が当接している状態で、スナップフィット３０１とスナップフィット３０２との少なくとも一方が閉じ位置へ向かう引込力をトナーボトルカバー２００に作用している。
【００４５】
図７の（ｅ）に示すように、軸部左２０１はスナップフィット３０１から離れている。しかし、軸部右２０２は、スナップフィット３０２を撓ませた状態であるため、トナーボトルカバー２００に引込力を作用させて、トナーボトルカバー２００の突出部２０５と内カバー３００の突当部３０４との間のがたつきが吸収されている。
【００４６】
（回転軸線方向のがたつき修正）
図８はトナーボトルカバーを閉じ位置に移動させた状態の正面図である。図９はトナーボトルカバーの回転軸線方向のがたつきの説明図である。
【００４７】
図３に示す開き位置から図８に示す閉じ位置へ開閉ユニットとしてのトナーボトルカバー２００が回動される。図９に示すように、トナーボトルカバー２００は、本体ユニットとしての内カバー３００に対して回転軸線方向に距離ｄ５のがたつきを持っている。
【００４８】
しかし、トナーボトルカバー２００が閉じ位置で停止しているとき、スナップフィット３０１、３０２のうち少なくとも一方がトナーボトルカバー２００に回転軸線に沿った一方向の力を作用している。図７の（ｅ）に示すように、スナップフィット３０２がトナーボトルカバー２００の回転軸線に沿った一方向の付勢力を発生して、軸部右２０２を矢印Ｒ方向に付勢している。すなわち、トナーボトルカバー２００の閉じ位置では、軸部左２０１及びスナップフィット３０１と軸部右２０２及びスナップフィット３０２との少なくとも一方の反力がトナーボトルカバー２００に対して回動軸線に沿った一方向の力を作用している。
【００４９】
このため、図８に示すように、トナーボトルカバー２００に矢印Ｃ方向の力が加わって、トナーボトルカバー２００が矢印Ｃ方向へ片寄せられている。その結果、図９に示すように、トナーボトルカバー２００の回動軸保持部２０３の図中右側端面が内カバー３００の規制部３０３に突き当たって、トナーボトルカバー２００の回転軸線方向の位置が規制されている。つまり、スナップフィット３０２は、トナーボトルカバー２００の回転軸線方向のがたつきを吸収している。
【００５０】
（把手部）
図４に示すように、トナーボトルカバー２００は、把手部２０４、軸部左２０１、軸部右２０２の順にそれぞれが配置されている。このため、把手部２０４を掴んでトナーボトルカバー２００を閉じた際に、軸部右２０２とスナップフィット３０２が初めに係合し、次にその助力で軸部左２０１とスナップフィット３０１が係合する。このため、スナップフィット３０１、３０２に対して軸部左２０１又は軸部右２０２のうちの一方のみが係合したまま、トナーボトルカバー２００が固定されることはない。
【００５１】
（実施の形態１の効果）
実施の形態１では、トナーボトルカバー２００を閉鎖操作する際の操作負荷を抑制できる。そして、トナーボトルカバー２００が閉まった時のトナーボトルカバー２００の位置決めを確実に行うことができる。
【００５２】
＜実施の形態２＞
実施の形態１では画像形成装置のトナーボトルカバーにおける開閉装置の実施の形態を説明した。これに対して実施の形態２では、ノートパソコンの本体に回動自在に取り付けられたディスプレイ部における開閉装置の実施の形態を説明する。
【００５３】
（ディスプレイ部）
実施の形態２のノートパソコンは、キーボード及びタッチパッドを上面に配置した本体の奥側に配置された回動軸によって液晶ディスプレイ画面を設けたディスプレイ部が回動可能に取付けられている。ディスプレイ部と本体との間には制動部材が設けられ、ユーザは、ディスプレイ部を本体に対する任意の開き角度に位置決め停止させることができる。
【００５４】
（係合構造）
ディスプレイ部の液晶ディスプレイ画面を挟んだ左右の両側に図５に示す軸部左２０１及び軸部右２０２と同様な一対の係合部材を回動軸からの距離を異ならせて配置した。そして、本体におけるディスプレイ部の閉じ操作に伴って一対の係合部材が係合する位置に凹所を設け、凹所の底に図６に示すスナップフィット３０１、３０２と同様な被係合部材を配置した。
【００５５】
これにより、ユーザが本体に対してディスプレイ部を回動させて閉じ操作する過程で、一対の係合部材のうちの一方の係合部材が先行して相手方の被係合部材に対する係合を開始し、続いて他方の係合部材が相手方の被係合部材に係合を開始する。閉じ操作の過程で、一方の係合部材に作用する反力のピークが通過した後に他方の係合部材に作用する反力のピークを通過して本体に対する閉じ位置にディスプレイ部が位置決め停止される。
【００５６】
＜その他の実施の形態＞
本発明の開閉装置及び画像形成装置は、実施の形態１、２で説明した具体的な構成には限定されない。本発明は、実施の形態１の構成及び制御の一部又は全部を等価な代替手段に置き換えた別の実施の形態でも実施可能である。例えば、画像形成装置は、モノクロ複写機には限らず、プリンタ、ファックス、複合機、フルカラープリンタ等、他の画像形成装置で実施してもよい。電子写真方式の画像形成装置のみならず、インクジェット方式、オフセット印刷方式、熱転写方式等の他の方式の画像形成装置においても本発明は実施可能である。
【００５７】
本発明は、実施の形態２で説明したように、画像形成装置のみならず、ノートパソコン等、一般的な電子機器の開閉カバー及び開閉構造においても実施可能である。
【００５８】
実施の形態１では、軸部左２０１と軸部右２０２とで回動中心軸からの距離を異ならせて、軸部左２０１と軸部右２０２のスナップフィット３０１、３０２に対する係合タイミングを調整した。しかし、軸部左２０１と軸部右２０２のスナップフィット３０１、３０２に対する係合タイミングの調整は、回動中心軸からの回転半径の調整には限らない。軸部左２０１と軸部右２０２の長さ、大きさ、取付け高さを異ならせて係合タイミングを調整してもよい。
【００５９】
実施の形態１では、回転軸線方向の位置をずらせて、軸部左２０１とスナップフィット３０１の係合部と、軸部右２０２とスナップフィット３０２の係合部と、を配置した。しかし、軸部左２０１とスナップフィット３０１の係合部と、軸部右２０２とスナップフィット３０２の係合部と、は、トナーボトルカバー２００の回転軸線方向の同一位置で回動半径を異ならせて配置してもよい。
【００６０】
実施の形態１では、トナーボトルカバー２００を内カバー３００に対して回動させる構成とした。しかし、トナーボトルカバー２００を内カバー３００に対して所定のガイドに沿ってスライドさせる構成としてもよい。トナーボトルカバー２００を内カバー３００の面と平行に回転させる構成としてもよい。
【００６１】
実施の形態１では、スナップフィット３０１、３０２の曲げ変形によってトナーボトルカバー２００を移動する際の閉じ位置と反対方向の反力を発生させる構成とした。しかし、特許文献１に示されるように、スライド方向にばね付勢されたスライダフックを係合させてもよい。湾曲させた板バネを対向させて狭くした間隔にバルブ状の突起を挿入して係合させる構成としてもよい。
【符号の説明】
【００６２】
１：画像形成装置、２：装置本体、１０：給紙部、２０：画像形成部（画像形成手段）、２８：トナーボトル収容ユニット、３０：定着装置（画像形成手段）、４０：排出部、１００：トナーボトルカバーユニット（開閉装置）、２００：トナーボトルカバー（開閉ユニット）、２０１：軸部左（第１係合部、第１係合手段）、２０２：軸部右（第２係合部、第２係合手段）、２０３：回動軸保持部、２０４：把手部、２０５：突出部、３００：内カバー（本体ユニット）、３０１：スナップフィット（第１係合部、第１被係合手段）、３０２：スナップフィット（第２係合部、第２被係合手段）、３０３：規制部、３０４：突当部、４００：トナーボトル
【図１】
2018077292.tif 000003
【図２】
2018077292.tif 000004
【図３】
2018077292.tif 000005
【図４】
2018077292.tif 000006
【図５】
2018077292.tif 000007
【図６】
2018077292.tif 000008
【図７】
2018077292.tif 000009
【図８】
2018077292.tif 000010
【図９】
2018077292.tif 000011